(57)【要約】    【課題】表示灯における前方及び側面からの視認性を確保しつつ、表示灯及び発信機の並び方向の寸法を小さくし、意匠性を向上させ、さらに取扱性を向上させる。    【解決手段】防災装置の収容ケースとして機能する防災機器収納箱１０の収容ケース前面には音響孔１６を配置した音響孔領域１６ａ、位置表示灯１４及び発信機１２が設けられる。位置表示灯１４は防災機器収容箱１０の収容ケース前面及び側面に表示枠２８ａを有する。位置表示灯１４の表示面２８ａは、発信機１２と音響孔領域１６ａの並び方向について、正面中央部並び方向寸法Ｌ１に比べ側部並び方向寸法Ｌ２を大きくする。【選択図】図１
2020146338.tif 000002
【特許請求の範囲】
【請求項１】
収納ケースのパネル面に音響孔領域と発信機を並び配置した防災装置に於いて、
前記収容ケースの前面又は前面及び側面に表示面を有する表示灯が設けられ、
前記表示灯の表示面は、前記発信機と前記音響孔領域の並び方向について、正面中央部並び方向寸法に比べ側部並び方向寸法を大きくしたことを特徴とする防災装置。
【請求項２】
請求項１記載の防災装置に於いて、
前記表示面の前記正面中央部並び方向寸法を、前記音響孔領域及び前記発信機の並び方向寸法より小さくし、
前記表示面の前記側部並び方向寸法を、前記音響孔領域及び前記発信機の並び方向寸法と略同等以上としたことを特徴とする防災設備。
【請求項３】
請求項１記載の防災装置に於いて、前記表示灯は、前前記音響孔領域と記発信機の間、前記音響孔の領域と前記発信機を両側から挟む位置、若しくは、前記発信機の一部を囲む位置に設けられたことを特徴とする防災装置。
【請求項４】
請求項１記載の発信機に於いて、
前記表示灯の前面の表示面は、前記収容ケースの前面と略面一に設けられたことを特徴とする防災装置。
【請求項５】
請求項４記載の発信機に於いて、
前記表示灯の側面の表示面は、前記収容ケースの側面と略面一に設けられたことを特徴とする防災装置。
【請求項６】
請求項１乃至３記載の防災装置に於いて、前記発信機は、前記収容ケースの前面と略面一となるように設けられたことを特徴とする防災装置。
【発明の詳細な説明】
【技術分野】
【０００１】
本発明は、表示灯、音響孔及び発信機を備え、火災時などに操作して異常発生を知らせる防災機器収容箱、消火栓装置等の防災装置に関する。
【背景技術】
【０００２】
従来、防災機器収容箱には、発信機と表示灯（この場合、位置表示灯）が設けられ、更に、内蔵したベルやブザーに対応して音響孔が設けられている。
【０００３】
位置表示灯は赤色表示灯を使用し、常時点灯して防災機器収容箱の位置を示して、非常の際に周囲の人に発信機の場所を認識させる。発信機は、発信機カバーに配置された保護板を押し込むことにより押釦スイッチをオン操作し、受信機へ火災通報信号を送信して警報させる。受信機は発信機からの火災通報信号を受信して火災警報を出力した場合、火災通報信号を送信した防災機器収容箱に地区音響信号を送出し、これにより防災機器収容箱のベルやブザーを鳴動して火災警報音を出力させる。
【０００４】
ところで、従来の防災機器収容箱に設けられた位置表示灯は、側方からの視認性を向上するために、パネル面から前方に表示カバーが数センチ程度突出した赤色表示灯を設けているが、近年にあっては、前方への突出を抑えて物が当たらないようにして破損を防止し、更に、意匠性を高めるようにしたフラット型の位置表示灯が普及している。
【０００５】
また、このように位置表示灯、音響孔及び発信機を備える防災装置として、例えば消火栓装置も知られている。
【先行技術文献】
【特許文献】
【０００６】
【特許文献１】特開平９−１０２０８５号公報
【特許文献２】意匠登録第１００５２８９号公報
【特許文献３】意匠登録第１１３８２９９号公報
【特許文献４】特開２０１６−０５９６４７号公報
【発明の概要】
【発明が解決しようとする課題】
【０００７】
しかしながら、このような従来の位置表示灯をフラット型とした防災装置にあっては、側方からの視認性が十分でない場合があった。或いは、側方からの視認性を確保するために、表示灯の突出量を抑えること、薄型化することに限界があった。また、このため、位置表示灯や防災装置の意匠性を高めるための自由度が低いという問題があった。
【０００８】
本発明は、表示灯による前方及び側方からの視認性を確保しつつ、表示灯及び発信機の並び方向の寸法を小さくし、意匠性を向上させ、さらに取扱性を向上させることを可能とする防災装置を提供することを目的とする。
【課題を解決するための手段】
【０００９】
（防災装置）
本発明は、収納ケースのパネル面に音響孔領域と発信機を並び配置した防災装置に於いて、
収容ケースの前面又は前面及び側面に表示面を有する表示灯が設けられ、
表示灯の表示面は、発信機と音響孔領域の並び方向について、正面中央部並び方向寸法に比べ側部並び方向寸法を大きくしたことを特徴とする。
【００１０】
（音響孔及び発信機と表示灯表示面の並び方向の寸法関係）
表示面の正面中央部並び方向寸法を、音響孔領域及び発信機の並び方向寸法より小さくし、表示面の側部並び方向寸法を、音響孔領域及び発信機の並び方向寸法と略同等以上とする。
【００１１】
（表示灯の配置位置）
表示灯は、音響孔領域と発信機の間、音響孔領域と発信機を両側から挟む位置、若しくは、発信機の一部を囲む位置に設けられる。
【００１２】
（表示灯前面の面一配置）
表示灯の前面の表示面は、収容ケースの前面と略面一に設けられる。
【００１３】
（表示灯側面の面一配置）
表示灯の側面の表示面は、収容ケースの側面と略面一に設けられる。
【００１４】
（発信機の面一配置）
発信機は、収容ケースの前面と略面一となるように設けられる。
【発明の効果】
【００１５】
（基本的な効果）
本発明は、収納ケースのパネル面に音響孔領域と発信機を並び配置した防災装置に於いて、収容ケースの前面又は前面及び側面に表示面を有する表示灯が設けられ、表示灯の表示面は、発信機と音響孔領域の並び方向について、正面中央部並び方向寸法に比べ側部並び方向寸法を大きくしたため、音響孔領域、表示灯及び発信機の並び方向の寸法を縮小しつつ、側方からの高い視認性が確保され、表示灯全体としての視認性を向上させることができる。また、表示灯の表示面が正面中央部並び方向寸法に比べ側部並び方向寸法を大きくしたことで、新たな意匠性が得られ、意匠性を高めることができる。
【００１６】
（音響孔及び発信機と表示灯表示面の並び方向の寸法関係による効果）
また、表示灯の表示面における正面中央部並び方向寸法を、音響孔領域及び発信機の並び方向寸法より小さくし、表示面の側部並び方向寸法を、音響孔領域及び発信機の並び方向寸法と略同等以上にしたため、音響孔領域、表示灯及び発信機を並び配置した場合に、並び方向の寸法を縮小化するバランスの採れた並び配置となり、表示面の側部並び方向寸法が音響孔領域及び発信機と並び方寸法と略同等以上になることで、前方からの視認性を損なうことなく側方からの高い視認性が確保され、意匠性も高めることができる。
【００１７】
（表示灯の配置位置による効果）
また、表示灯は、音響孔の領域と発信機の間、音響孔の領域と発信機を両側から挟む位置、若しくは、発信機の一部を囲む位置に設けられたため、収納ケース前面に配置された音響孔と発信機の空きスペースを利用して様々な表示面の形状と配置を行うことができ、前方及び側方からの表示灯の視認性の確保に加え、表示面の配置や形状の自由度が高く、意匠性を高めることができる。
【００１８】
また、表示灯を発信機の一部を囲む位置に設けられた場合には、表示灯により発信機が指し示されることで、利用者が操作する際に迷うことがなく、発信機の操作性を向上できる。
【００１９】
（表示灯の面一表示面による効果）
また、表示灯の前面の表示面は、収容ケースの前面と略面一に設けられ、表示灯の側面の表示面は、収容ケースの側面と略面一に設けられたため、表示灯の表示面は収納ケースの前面又は前面及び側面に沿った略平坦となることで、収容ケース面からの表示灯の突出を抑えることができ、また前方及び側方からの視認性を向上させる様々な表示パターンを容易に形成することができる。
【００２０】
（発信機の面一配置による効果）
また、発信機は、収容ケースの前面と略面一となるように設けられたため、発信機の前面は収納ケースの前面に沿った略平坦となることで、収容ケース面からの発信機の突出を抑えることができ、意匠性の向上等が見込める。
【図面の簡単な説明】
【００２１】
【図１】本発明の防災装置の例として収容ケースのパネル前面から側面にＨ型の表示面を有する位置表示灯を配置した防災機器収容箱の第１実施形態を示した説明図
【図２】図１の防災機器収容箱の分解構造を示した説明図
【図３】図１のＸ−Ｘ断面により位置表示灯の内部構造を示した断面図
【図４】音響孔領域と発信機の間に略Ｈ型の位置表示灯の表示枠の表示面を収容ケースのパネル前面に設けた防災機器収容箱の第２実施形態を示した説明図
【図５】音響孔領域と発信機の間に略つづみ型の位置表示灯の表示枠の表示面を収容ケースのパネル前面及び側面に設けた防災機器収容箱の第３実施形態を示した説明図
【図６】音響孔領域と発信機を挟んで位置表示灯の表示枠の表示面を収容ケースのパネル前面及び側面に設けた防災機器収容箱の第４実施形態を示した説明図
【図７】発信機の下側を囲んで位置表示灯の表示枠の表示面を収容ケースのパネル前面及び側面に設けた防災機器収容箱の第５実施形態を示した説明図
【図８】発信機を略門型に囲んで位置表示灯の表示枠の表示面を収容ケースのパネル前面及び側面に設けた防災機器収容箱の第６実施形態を示した説明図
【図９】防災装置の前面と側面のつなぎ目の実施形態を示した説明図
【発明を実施するための形態】
【００２２】
本発明の防災装置の実施形態として、所定の表示報知情報として装置の所在位置を表示する表示灯、また所定の発音報知情報として火災警報音を出力するための音響孔、スイッチ操作により火災通報信号を出力する発信機を備えた防災機器収容箱を例にとって説明する。
【００２３】
図１は本発明の防災装置の例として収容ケースのパネル前面から側面に略Ｈ型の表示面を有する位置表示灯を配置した防災機器収容箱の第１実施形態を示した説明図である。
【００２４】
［実施形態の基本概念］
本実施形態の基本概念は、防災機器収容箱１０であって、カバープレート１０ａ（パネル）と本体１０ｂで構成される収容ケースの前面１３ａ及び側面１３ｂに表示面１５を有する略Ｈ型の表示枠２８ａを持つ位置表示灯１４を設けることを特徴とするものであり、図１（Ａ）に示すように、略Ｈ型の表示枠２８ａは、発信機１２と音響孔１６の並び方向について、正面中央部並び方向寸法Ｌ１に比べ側部並び方向寸法Ｌ２を大きくしたものであり（Ｌ１＜Ｌ２）、音響孔１６、位置表示灯１４及び発信機１２の並び方向の寸法を縮小しつつ、側部並び方向寸法Ｌ２を大きくしたことで側方からの高い視認性が確保され、表示灯全体としての視認性を向上させることができる。
【００２５】
また、位置表示灯１４の表示枠２８ａが前面から側面にかけて配置され、且つ、表示枠２８ａを略Ｈ型としたことで新たな意匠性が得られ、意匠性を高めることができる。
【００２６】
［防災機器収容箱の第１実施形態］
（防災機器収容箱の概要）
図１（Ａ）（Ｂ）に示すように、第１実施形態の防災機器収容箱１０の収納ケースはカバープレート１０ａと本体１０ｂで構成され、壁面等に設置した場合に露出されるカバープレート１０ａの露出面（前面１３ａ）の下側に発信機１２が配置され、その上側に音響孔１６を開口した音響孔領域１６ａが配置されている。そして一般に防災機器収容箱１０は音響孔領域１６ａ、発信機１２の並び方向を上下方向として、例えば音響孔領域１６ａ側を天井側、発信機１２側を床面側にして壁面等に設置される。
【００２７】
各音響孔１６の開口形状、大きさ、数、配列は音の出力性能、拡散性能、意匠性等を考慮して適宜選択、調整されている。
【００２８】
発信機１２は、その中央下部に、内蔵した押釦スイッチ２０をオン操作するため透明アクリル板等を用いた保護板１８と、その上部に、内部に電話ジャックを配置した保守扉２２を設けている。
【００２９】
位置表示灯１４は、カバープレート１０ａの発信機１２と音響孔１６の間となる前面１３ａから側面１３ｂに至る略Ｈ型の表示枠２８ａを有し、これにより位置表示灯１４は防災機器収容箱１０の収容ケースの前面１３ａと側面１３ｂに表示面１５を有することになる。
【００３０】
位置表示灯１４の表示枠２８ａの表示面は、発信機１２と音響孔１６の配置領域である音響孔領域１６ａの並び方向について、正面中央部並び方向寸法Ｌ１に比べ左右両方の側部の並び方向寸法Ｌ２を大きくしている（Ｌ１＜Ｌ２）。ここで、Ｌ１を小さくすることにより音響孔領域１６ａ、位置表示灯１４及び発信機１２の並び方向の寸法が従来に比べて縮小できる。
【００３１】
例えば、位置表示灯１４の表示枠２８ａにおける正面中央部並び方向寸法Ｌ１は、音響孔領域１６ａ及び発信機１２各々単体の並び方向寸法（図１（Ａ）の場合、音響孔領域１６ａの外縁（図示二点鎖線）の直径）、例えば１／２程度又はそれ以下と小さくし、表示枠２８ａの側部並び方向寸法Ｌ２は、音響孔領域１６ａ及び発信機１２の並び方向寸法と略同程度かそれ以上とする。
【００３２】
このような表示枠２８ａにおける正面中央部及び側部と音響孔領域１６ａ及び発信機１２の並び方向寸法の関係により、音響孔１６、位置表示灯１４及び発信機１２を並び配置した場合に、並び方向の寸法を縮小化するバランスの採れた並び配置となる。また、表示枠２８ａの側部並び方向寸法Ｌ２が音響孔領域１６ａ及び発信機１２と並び方寸法と略同程度となることで、前方からの視認性を損なうことなく側方からの高い視認性も確保され、意匠性も高めることができる。
【００３３】
また更に、表示灯１４の表示枠２８ａの左右の側部は、収容ケース側面側にも表示面１５を有するようにしているため、一層、側方からの視認性が向上する。
【００３４】
本実施形態で発信機１２は防災機器収容箱１０におけるカバープレート１０ａの前面１３ａを段落しして形成した対応凹部１７に組み込まれ、発信機１２の前面がカバープレート１０ａの前面１３ａに略面一となるよう設けられている。このように発信機１２の前面が防災機器収容箱１０におけるカバープレート１０ａの前面１３ａに沿った略平坦になることで、前面１３からの発信機１２の突出を抑えることができ、意匠性の向上等が見込める。
【００３５】
（位置表示灯の構造）
図２は図１の防災機器収容箱の分解構造を示した説明図である。図２に示すように、防災機器収納箱１０の収容ケースは、カバープレート１０ａと箱形の本体１０ｂで構成され、カバープレート１０ａに取付けられた位置表示灯１４の背後となる本体１０ｂ内の相対した位置にはブザーやベル等の音響装置２４が配置され、別に設置された火災受信機からの地区音響信号により音響装置２４が鳴動されると、その火災警報音を図１（Ａ）に示した音響孔１６から出力するようにしている。
【００３６】
カバープレート１０ａの前面の発信機配置位置には段落しによる対応凹部１７が形成され、対応凹部１７に発信機１２が組み込まれており、発信機１２の前面頂部となる前面１２ａはカバープレート１０ａの前面１３から突出せず、略面一となっている。
【００３７】
図３は図１（Ａ）のＸ−Ｘ断面により位置表示灯の内部構造を示した断面図である。図３に示すように、位置表示灯１４は、防災機器収容箱１０の前面から両側面に至る平面から見ると（防災機器収容箱１０の上側から見ると）断面略コ字形をもつ後方に開口した表示枠２８ａをカバープレート１０ａに配置している。
【００３８】
表示枠２８ａの裏側に回路基板３０が配置され、回路基板３０には複数のＬＥＤ３２が配置されている。表示枠２８ａには赤色に発光する拡散透光部材を使用している。拡散透光部材はＬＥＤ３２による光源からの光を入射して拡散し、面発光に変換する部材であり、回路基板３０に配置したＬＥＤ３２からの背光照明による光を拡散透光部材を用いた表示枠２８ａに入射して位置表示灯１４の前面及び側面を略均一に赤色に面発光させる。
【００３９】
なお、位置表示灯１４のカバープレート１０ａに対する取付構造は、図３に限定されず、適宜の取付構造とすることができる。
【００４０】
このように第１実施形態にあっては、位置表示灯１４の表示枠２８ａは、発信機１２と音響孔領域１６ａの並び方向について、正面中央部並び方向寸法Ｌ１を小さくし、加えてＬ１に対し側部並び方向寸法Ｌ２を大きくしていることにより、音響孔１６、位置表示灯１４及び発信機１２の並び方向の寸法が縮小できる。
【００４１】
また、位置表示灯１４に設けた表示枠２８ａの前面の表示面により前方からの高い視認性が確保され、同時に、表示枠２８ａの側部の並び方向寸法を大きくしているので、側面の表示面により側方からの高い視認性が確保され、表示灯全体としての視認性を向上させることができる。
【００４２】
また、位置表示灯１４の表示枠２８ａによる表示面が防災機器収容箱１０の前面１３ａから側面１３ｂにかけて配置され、より一層、側方からの視認性が向上し、且つ、略Ｈ型の表示枠２８ａとしたことで、新たな意匠性が得られ、意匠性を高めることができる。
【００４３】
［防災機器収容箱の第２実施形態］
図４は音響孔領域と発信機の間に略Ｈ型の位置表示灯の表示枠の表示面を収容ケースのパネル前面に設けた防災機器収容箱の第２実施形態を示した説明図である。
【００４４】
図４に示すように、本実施形態は、防災機器収納箱１０におけるカバープレート１０ａの前面１３の音響孔領域１６ａと発信機１２の間に、略Ｈ型の表示枠２８ｂを有する位置表示灯１４を配置している。
【００４５】
位置表示灯１４の表示枠２８ｂは、図１の第１実施形態に設けた略Ｈ型の表示枠２８ａの並び方向に直交する方向の寸法を縮小して、カバープレート１０ａの前面１３のみに表示面を配置したものである。
【００４６】
表示枠２８ｂは、図１の表示枠２８ａと同様に、発信機１２と音響孔領域１６ａの並び方向について、正面中央部並び方向寸法Ｌ１に比べ側部の並び方向寸法Ｌ２を大きくしており（Ｌ１＜Ｌ２）、また、表示枠２８ｂにおける正面中央部並び方向寸法Ｌ１は、音響孔領域１６ａ及び発信機１２の並び方向寸法の例えば１／２程度かそれ以下と小さくし、表示枠２８ｂの側部並び方向寸法Ｌ２は、音響孔領域１６ａ及び発信機１２の並び方向寸法と略程度かそれ以上としている。
【００４７】
本実施形態にあっては、防災機器収納箱１０を壁面等に埋込設置した場合に露出されるカバープレート１０ａの露出面（前面１３ａ）に設けられた略Ｈ型の表示枠２８ｂを有する位置表示灯１４により、音響孔領域１６ａ、位置表示灯１４及び発信機１２の並び方向の寸法を縮小することができ、防災機器収納箱１０を壁面等に埋込設置した場合の前方からの高い視認性が確保され、同時に、表示枠２８ａの側部並び方向寸法Ｌ２を大きくしたことで、側方からの高い視認性が確保され、表示灯全体としての視認性を向上させることができ、更に、略Ｈ型の表示枠２８ｂとしたことで、新たな意匠性が得られ、意匠性を高めることができる。
【００４８】
なお、本実施形態にあっては、Ｈ型の表示枠は、少なくとも一部、例えば左右の側部がカバープレート１０ａの露出面から、やや（例えば数ミリ程度）突出するようにしている。
【００４９】
［防災機器収容箱の第３実施形態］
図５は音響孔領域と発信機の間に略つづみ型の位置表示灯の表示枠の表示面を収容ケースのパネル前面及び側面に設けた防災機器収容箱の第３実施形態を示した説明図である。
【００５０】
図５に示すように、本実施形態は、音響孔配置領域１６ａと発信機１２の間に、正面中央部から両側部にかけて左右（並び方向に直交する方向）に連続的に広がった略つづみ型の位置表示灯１４の表示枠２８ｃを配置しており、この表示枠２８ｃは、収容ケースの前面から側面に至る表示面を有する。
【００５１】
位置表示灯１４の略つづみ型の表示枠２８ｃは、正面中央部並び方向寸法Ｌ１に比べ側部並び方向寸法Ｌ２を大きくしており、正面中央部並び方向寸法Ｌ１は、音響孔領域１６ａ及び発信機１２の並び方向寸法の例えば１／２程度かそれ以下と小さくし、表示枠２８ａの側部並び方向寸法Ｌ２は、音響孔領域１６ａ及び発信機１２の並び方向寸法と略同程度かそれ以上としている。それ以外の構成は図１の実施形態と同じになる。
【００５２】
このような第３実施形態にあっては、位置表示灯１４の表示枠２８ｃの正面中央部並び方向寸法Ｌ１に比べ側部並び方向寸法Ｌ２を大きくしていることにより、音響孔領域１６ａ、位置表示灯１４及び発信機１２の並び方向の寸法が縮小できる。
【００５３】
また、位置表示灯１４に設けた略つづみ型の表示枠２８ｃの前面の表示面により前方からの高い視認性が確保され、同時に、表示枠２８ｃの並び方向寸法の大きい左右の側部の表示面により側方からの高い視認性が確保され、表示灯全体としての視認性を向上させることができる。
【００５４】
また、位置表示灯１４の表示枠２８ｃによる表示面が防災機器収容箱１０の前面から両側面にかけて配置され、収容ケースの側面にも表示面を有するので、側方からの視認性が一層向上し、且つ、略つづみ型の表示枠２８としたことで、新たな意匠性が得られ、意匠性を高めることができる。
【００５５】
［防災機器収容箱の第４実施形態］
図６は音響孔領域と発信機を挟んで位置表示灯の表示枠の表示面を収容ケースのパネル前面及び側面に設けた防災機器収容箱の第４実施形態を示した説明図である。
【００５６】
図６に示すように、本実施形態は、音響孔領域１６ａと発信機１２を挟んで上下に一対の表示枠２８ｄを分離配置しており、上下に分離配置した表示枠２８ｄは収容ケースの前面から側面に至る表示面を有する。
【００５７】
上下に配置した表示枠２８ｄは、音響孔領域１６ａ側及び発信機１２側の辺を円弧状の曲線とし、発信機１２と音響孔１６の並び方向について、正面中央部並び方向寸法Ｌ１／２に比べ側部並び方向寸法Ｌ２／２を大きくしており、正面中央部並び方向寸法Ｌ１／２は、音響孔領域１６ａ及び発信機１２の並び方向寸法の例えば１／４程度かそれ以下と小さくし、表示枠２８ａの側部並び方向寸法Ｌ２／２は、音響孔領域１６ａ及び発信機１２の並び方向寸法の略１／２程度かそれ以上としている。
【００５８】
ここで、上下に配置した表示枠２８ｄは、図５の第３実施形態の表示枠２８ｃを並び方向で２分割し、上側を下側に、下側を上側に移動して配置したことに相当しており、上下に分離した表示枠２８ｄを一体化すると図５の表示枠２８ｃと略同程度となる。これに基づき、上下に配置した表示枠２８ｄの正面中央部並び方向寸法Ｌ１／２と側部並び方向寸法Ｌ２／２を決めている。それ以外の構成は図１の実施形態と同じになる。
【００５９】
このような第４実施形態にあっては、位置表示灯１４の上下に配置した表示枠２８ａを正面中央部並び方向寸法Ｌ１／２に比べ側部並び方向寸法Ｌ２／２を大きくしていることにより、音響孔１６、位置表示灯１４及び発信機１２の並び方向の寸法が縮小できる。
【００６０】
また、位置表示灯１４に設けた上下の表示枠２８ｄの前面の表示面により前方からの高い視認性が確保され、同時に、表示枠２８ｄの並び方向寸法の大きい側部の表示面により側方からの高い視認性が確保され、表示灯全体としての視認性を向上させることができる。
【００６１】
また、位置表示灯１４の表示枠２８ｄが上下に分けて分離配置され、また、上下の表示枠２８ｄは表示面が防災機器収容箱１０の収容ケース前面から左右の側面にかけて配置されたことで、側方からの視認性が一層向上すると共に、新たな意匠性が得られ、意匠性を高めることができる。
【００６２】
［防災機器収容箱の第５実施形態］
図７は発信機の下側を囲んで位置表示灯の表示枠の表示面を収容ケースのパネル前面及び側面に設けた防災機器収容箱の第５実施形態を示した説明図である。
【００６３】
図７に示すように、本実施形態は、発信機１２の下側に表示枠２８ｅを配置しており、表示枠２８ｅは収容ケースの前面から側面に至る表示面を有する。
【００６４】
表示枠２８ｅは、発信機１２側の辺を正面中央部から左右の側部にかけて連続的に広がる円弧状としており、正面中央部並び方向寸法Ｌ１／２に比べ側部並び方向寸法Ｌ２／２を大きくしており、正面中央部並び方向寸法Ｌ１／２は、音響孔領域１６ａ及び発信機１２の並び方向寸法の例えば１／４程度かそれ以下と小さくし、表示枠２８ａの側部並び方向寸法Ｌ２／２は、音響孔領域１６ａ及び発信機１２の並び方向寸法の略１／２程度かそれ以上としている。
【００６５】
ここで、本実施形態は、図６に示した第４実施形態における上側の表示枠２８ｄを取り除き、下側の表示枠２８ｄのみとしたことに相当する。
【００６６】
このように第５実施形態にあっては、発信機１２の下側に配置した位置表示灯１４の表示枠２８ｅを、正面中央部並び方向寸法Ｌ１／２に比べ側部並び方向寸法Ｌ２／２を大きくしていることにより、音響孔１６、位置表示灯１４及び発信機１２の並び方向の寸法が更に縮小できる。
【００６７】
また、発信機１２の下側に配置した位置表示灯１４の表示枠２８ｅの前面の表示面により前方からの高い視認性が確保され、同時に、表示枠２８ｅの並び方向寸法の大きい側部の表示面により側方からの高い視認性が確保され、表示灯全体としての視認性を向上させることができる。
【００６８】
また、位置表示灯１４の表示枠２８ｅが発信機１０の下側に配置され、また、表示枠２８ｅは表示面が防災機器収容箱１０の前面から両側面にかけて配置されたことで側方からの視認性が一層向上し、且つ、新たな意匠性が得られ、意匠性を高めることができる。
【００６９】
更に、発信機１２側に配置された表示枠２８ｅにより、操作部として機能する発信機１２の存在がより明確に認識されやすくなるので、発信機１２の位置が分かり易くなり、利用者は迷うことなく発信機１２を操作することが可能となる。
【００７０】
なお、本実施形態による位置表示灯１４の表示枠２８ｅは、上下に配置した図６の第４実施形態による上下の位置表示灯１４の表示枠２８ｄに比べ表示面の面積が１／２となるが、例えば背光照明に使用するＬＥＤの発光量を強くすること等によっても、視認性を補完することができる。
【００７１】
［防災機器収容箱の第６実施形態］
図８は発信機を略門型に囲んで位置表示灯の表示枠を収容ケースのパネル前面及び側面に設けた防災機器収容箱の第６実施形態を示した説明図である。
【００７２】
図８に示すように、本実施形態にあっては、位置表示灯１２は発信機１２を門型に囲むように表示枠２８ｆを配置しており、表示枠２８ｆは収容ケース前面から側面に至る表示面を有する。
【００７３】
位置表示灯１４の略門型の表示枠２８ｆは、正面中央部並び方向寸法Ｌ１に比べ側部並び方向寸法Ｌ２を大きくしており、正面中央部並び方向寸法Ｌ１は、音響孔領域１６ａ及び発信機１２の並び方向寸法の例えば１／２程度かそれ以下と小さくし、表示枠２８ｆの側部並び方向寸法Ｌ２は、図示のように音響孔領域１６ａ及び発信機１２の各並び方向寸法より大きくするか、或いは略同程度としても良い。それ以外の構成は図１の実施形態と同じになる。
【００７４】
このような第６実施形態にあっては、発信機１２を囲んで配置した位置表示灯１４の略門型の表示枠２８ｆの正面中央部並び方向寸法Ｌ１に比べ側部並び方向寸法Ｌ２を大きくしていることにより、音響孔領域１６ａ、位置表示灯１４及び発信機１２の並び方向の寸法が縮小できる。
【００７５】
また、位置表示灯１４に設けた表示枠２８ｆの前面の表示面により、前方からの高い視認性が確保され、同時に、表示枠２８ｄの並び方向寸法の大きい側部の表示面により側方からの高い視認性が確保され、表示灯全体としての視認性を向上させることができる。
【００７６】
また、位置表示灯１４の表示枠２８ｆが略門型であり、また、表示枠２８ｆは表示面が防災機器収容箱１０の収容ケース前面から側面にかけて配置されたことで、側方からの視認性が一層向上し、且つ新たな意匠性が得られ、意匠性を高めることができる。
【００７７】
更に、発信機１２側を囲んで配置された略門型の表示枠２８ｆにより、操作部として機能する発信機１２の存在がより明確に認識されやすくなるので、発信機１２の位置が分かり易くなり、利用者は迷うことなく発信機１２を操作することが可能となる。
【００７８】
［本発明の変形例］
上記の実施形態における収容ケース前面又は前面及び側面に表示面を有する位置表示灯の形状及び配置は、上記の実施形態に限定されず、必要に応じて適宜の形状及び配置とすることができる。
【００７９】
また、本実施形態における収容ケース前面と側面のつなぎ目は、例えば図９（Ａ）の平面図に示すように、Ｃ面状（面取り状）の１０ｃとされていても良いし、図９（Ｂ）の平面図に示すように、Ｒ面状の１０ｄとされていても良く、表示枠側部の、収容ケース側面の表示面はこれらの形状に沿うように形成しても良い。
【００８０】
また、上記の実施形態は、収容ケースの発信機配置部に対応凹部を設けて段落としし、ここに発信機を収容することで発信機前面が収容ケースの前面と略面一になるようにしているが、収容ケース前面から発信機全面が僅かに突出するように配置することを妨げない。
【００８１】
また、音響孔配置部（音響孔領域）と表示灯の表示枠又は表示面が重複することを妨げない。この場合、重複部において表示灯の、音響孔に対応する位置に適宜開口（表示灯側音響孔）を設ける等して良い。
【００８２】
また、上記の実施形態にあっては、位置表示灯の表示枠に拡散透光部材を使用しているが、例えば適宜の導光部材を使用しても良い。一例として導光部材は、例えばアクリル製の導光板の裏面に反射ドットを印刷しており、導光板のエッジから入射した光をアクリルの全反射を用いてアクリル全面に導き、反射ドットに当たった光がその進路を変え、全反射角よりも小さい角度になった光がアクリル前面から出てくることを利用して、導光板全面を均一に赤く光るようにするものが採用できる。その他、公知の照明、導光、透光、光拡散方法を適用し得る。
【００８３】
また、本発明は、防災機器収容箱、消火栓装置以外の防災装置にも適用できる。
【００８４】
また、表示灯は、位置表示灯の他、例えば火災等の異常を表示する表示灯や、その他の表示灯であっても良い。
【００８５】
また、上記各実施形態においては、表示枠の露出部全体が表示面である場合を示したが、表示枠の一部が表示面となっていても良く、この場合、各実施形態における表示枠の各寸法は表示面の寸法に読み替えれば良い。
【００８６】
また、各実施形態において側面の表示枠（表示面）はカバープレートから本体側面部まで延出するようにしても良い。
【００８７】
また、本発明は、上記の実施形態に示した音響孔（音響孔領域）及び発信機の少なくとも一方を、他の機能を有する機能ユニットに置き代えた防災装置にも適用できる。
【００８８】
また、本発明は上記の実施形態に限定されず、その目的と利点を損なうことのない適宜の変形を含み、例えば上記各実施形態を適宜組み合わせても良いし、それ以外の変形を適用しても良い。
【００８９】
また、本発明は更に、上記の実施形態に示した形状や数値による限定は受けない。
【符号の説明】
【００９０】
１０：防災機器収容箱
１０ａ：カバープレート
１０ｂ：本体
１２：発信機
１２ａ：前面頂部
１４：位置表示灯
１６：音響孔
１６ａ：音響孔配置部
１７：対応凹部
１８：保護板
２０：押釦スイッチ
２２：保守扉
２４：音響装置
２８ａ，２８ｂ，２８ｃ，２８ｄ，２８ｅ，２８ｆ，２８ｇ，２８ｈ，２８ｉ，２８ｊ，２８ｋ：表示枠
３０：回路基板
３２：ＬＥＤ
５０：消火栓装置
５２：収容ケース
５４：通報パネル
５６：消火栓扉
６０：ユニット本体
６２：表示灯収納部
【図１】
2020146338.tif 000003
【図２】
2020146338.tif 000004
【図３】
2020146338.tif 000005
【図４】
2020146338.tif 000006
【図５】
2020146338.tif 000007
【図６】
2020146338.tif 000008
【図７】
2020146338.tif 000009
【図８】
2020146338.tif 000010
【図９】
2020146338.tif 000011